(57)【特許請求の範囲】
【請求項１】
粗動ハンドルと、前記粗動ハンドルの回転により顕微鏡の光軸方向に沿って光学要素を移動させる光学要素支持手段とを有する顕微鏡の粗微動調節装置において、
前記粗動ハンドルの外周に回動可能に設けられ、前記粗動ハンドルに着脱自在に設けられた円筒状のハンドルカバーと、
前記粗動ハンドルの中心軸から外周に向かう方向に沿って延設され、前記ハンドルカバーに着脱自在に設けられた微動調整レバーと、
を有し、
前記微動調整レバーの延設方向が前記顕微鏡の前面を向くように、前記ハンドルカバーを前記粗動ハンドルの外周で回動させて位置を調整するとともに、その位置で固定可能であることを特徴とする粗微動調節装置。
【請求項２】
さらに、前記顕微鏡、または光学要素支持手段に着脱自在に設けるとともに、前記微動調整レバーの作動範囲を制限する作動範囲制限手段を具備したことを特徴とする請求項１記載の粗微動調節装置。
【請求項３】
さらに、前記ハンドルカバーの近傍に着脱自在に設けられるとともに、前記粗動ハンドルの変位量を読み取り可能な指標を設けたことを特徴とする請求項１又は２記載の粗微動調節装置。
【発明の詳細な説明】
【０００１】
【発明の属する技術分野】
本発明は、例えば、顕微鏡の焦点調整を行う焦準装置に用いられる粗微動調節装置に関するものである。
【０００２】
【従来の技術】
従来、顕微鏡の焦点調整を行う焦準装置には、焦点の粗調整および微調整を可能にするため粗微動調節装置が設けられたものがあるが、このような粗微動調節装置では、ステージ操作に必要なスペースとともに、特に、安定した微動調整を行うために微動操作手段の回りに十分なスペースを確保する必要がある。
【０００３】
そこで、従来、特開２００１−１６６１９５号公報に開示されるように、粗動連結軸に対して微動連結軸を同軸上に回転可能に設け、粗動連結軸の回転によりステージを上下動させるとともに、微動連結軸の回転により、その回転を減速して粗動連結軸の回転に応じた移動量より少ない移動量でステージを移動させるようなものであって、粗動連結軸の両端に取り付けられる粗動ハンドルよりも外側に、粗動ハンドルの外径よりも小さい外径に形成された微動環を配置し、これら微動環に対して着脱可能な微動ハンドルを設けるようなものが考えられている。
【０００４】
【発明が解決しようとする課題】
ところが、このように構成したものでは、粗動連結軸と微動連結軸を各別に有し、微動連結軸を回転させると、その回転を減速して粗動連結軸の回転による移動量よりさらに少ない移動量を得るような構成としているため、全体構成が複雑になる傾向があり、また、微動環に対して着脱可能に設けられる微動ハンドルは、微動連結軸の軸方向の長さを、さらに大きくする方向に配置されるため、微動ハンドルを装着した状態では、他の顕微鏡部位や微動ハンドルの付近に位置するマニピュレータのＸＹ電動部などと干渉することがあり、顕微鏡操作に支障をきたすことがあった。
【０００５】
本発明は上記事情に鑑みてなされたもので、構成が簡単で価格的に安価にできるとともに、操作性にも優れた粗微動調節装置を提供することを目的とする。
【０００６】
【課題を解決するための手段】
請求項１記載の発明は、粗動ハンドルと、前記粗動ハンドルの回転により顕微鏡の光軸方向に沿って光学要素を移動させる光学要素支持手段とを有する顕微鏡の粗微動調節装置において、前記粗動ハンドルの外周に回動可能に設けられ、前記粗動ハンドルに着脱自在に設けられた円筒状のハンドルカバーと、前記粗動ハンドルの中心軸から外周に向かう方向に沿って延設され、前記ハンドルカバーに着脱自在に設けられた微動調整レバーと、を有し、前記微動調整レバーの延設方向が前記顕微鏡の前面を向くように、前記ハンドルカバーを前記粗動ハンドルの外周で回動させて位置を調整するとともに、その位置で固定可能であることを特徴としている。
【０００９】
請求項２記載の発明は、請求項１記載の発明において、さらに、前記顕微鏡、または光学要素支持手段に着脱自在に設けるとともに、前記微動調整レバーの作動範囲を制限する作動範囲制限手段を具備したことを特徴としている。
【００１０】
請求項３記載の発明は、請求項１又は２記載の発明において、さらに、前記ハンドルカバーの近傍に着脱自在に設けられるとともに、前記粗動ハンドルの変位量を読み取り可能な指標を設けたことを特徴としている。
【００１１】
この結果、本発明によれば、現状のハンドルによる動作をそのまま利用しているので、構成が簡単で、価格的にも安価にできる。また、微動調整部材としてレバーを用いることで、例えば、セツトアツプされた顕微鏡本体の手前から微動調整を行うことができるので、他の部位に操作者の手が干渉するようなことを回避できるなど優れた操作性を得られる。
【００１２】
また、本発明によれば、微動調整部材の作動範囲を制限可能とすることで、操作がし易くなり、しかも、他の部位と干渉しない範囲内に作動範囲を設定することで、ユーザーが微動調整部材を誤操作してしまったような場合も、他への影響を防止することができる。
【００１３】
さらに、本発明によれば、ハンドル操作の際に、操作者は、姿勢を変えることなく、首をやや傾けるか、視線を僅かにずらす程度でハンドルの変位量を読み取ることができる。
【００１４】
【発明の実施の形態】
以下、本発明の実施の形態を図面に従い説明する。
【００１５】
（第１の実施の形態）
図１は、本発明が適用される粗微動調節装置を備えた顕微鏡の概略構成を示している。
【００１６】
図において、１は顕微鏡本体で、この顕微鏡本体１の前面上部には、接眼鏡筒２が設けられ、この接眼鏡筒２の先端部には、接眼レンズ３が取付けられている。また、顕微鏡本体１の接眼鏡筒２より奥には、ステージ４が配置され、このステージ４上面には、マニピュレータ５およびマニピュレータ５のＸＹ電動部６が設けられている。
【００１７】
顕微鏡本体１の後部には、支柱１ａが直立して設けられ、この支柱１ａ先端には、ランプハウス７が設けられている。また、支柱１ａの前面には、光学要素支持手段としてコンデンサホルダー８が上下方向に移動自在に設けられ、このコンデンサホルダー８には、光学要素としてコンデンサ９が支持されている。
【００１８】
コンデンサホルダー８の両側には、左右粗動ハンドル１０、１１が配置されている。これら左右粗動ハンドル１０、１１は、コンデンサホルダー８の光軸方向の粗動作を操作するもので、ステージ４上のマニピュレータ５のＸＹ電動部６の上方に位置している。
【００１９】
図２は、粗微動調節装置の概略構成を示している。この場合、支柱１ａの前面には、軸方向に沿ってオスアリ１２が取付けられ、このオスアリ１２の前面にはラック１３がネジ止めされている。
【００２０】
一方、コンデンサホルダー８には、メスアリ８ａが一体に形成されている。このメスアリ８ａには、支柱１ａ側のオスアリ１２が嵌合されており、この状態で、コンデンサホルダー８を光軸方向、ここでは支柱１ａに沿って上下動可能にしている。
【００２１】
また、コンデンサホルダー８には、ピニオン軸１４が貫通して設けられている。ピニオン軸１４の中央部には、ピニオン１４ａが形成されている。このピニオン１４ａは、支柱１ａ側のラック１３と噛み合っており、ピニオン軸１４の回転によりコンデンサホルダー８全体を支柱１ａに対して移動可能にしている。
【００２２】
ピニオン軸１４の両端には、上述した右粗動ハンドル１０と左粗動ハンドル１１がそれぞれ固定されている。
【００２３】
右粗動ハンドル１０には、補助ハンドル部材としての有底円筒状のハンドルカバー１７が複数の止めビス１８によって固定されている。この場合、止めビス１８は、ハンドルカバー１７外周面の円周方向に沿って、例えば４５度の間隔で２ヶ所設けられている。
【００２４】
つまり、こうすることで、右粗動ハンドル１０および左粗動ハンドル１１のどちらか一方または両方を回転させると、ピニオン軸１４の回転によりコンデンサホルダー８と一体に形成されたメスアリ８ａが支柱１ａのオスアリ１２に沿って摺動し、コンデンサホルダー８を支柱１ａに沿って上下動できるようにしている。
【００２５】
ハンドルカバー１７の外周面には、ネジ穴１９が設けられている。このネジ穴１９には、コンデンサホルダー８の微動調整に用いる微動調整レバー２０の先端がねじ込みにより取り付けられている。
【００２６】
微動調整レバー２０は、図３に示すようにコンデンサホルダー８と平行な水平方向の位置ａから上方に４５度程度傾いた位置ｂまでの範囲内で回動操作可能になっている。この場合、微動調整レバー２０を０〜４５度まで変位させた時のコンデンサホルダー８の移動量は、具体的には、２．５ｍｍ程度に設定されている。この調整範囲は、図３に示すように支柱１ａ先端のランプハウス７側に配置されるＦＳ絞り２１との同焦合わせに必要なコンデンサ９の移動距離（±１ｍｍ）を確保するためのものである。
【００２７】
コンデンサホルダー８には、コンデンサ受け２２が設けられている。このコンデンサ受け２２は、前方を開口したＵ字状をなすもので、この開口よりコンデンサ９をスライドさせるように挿入するとともに、突き当てまで押し込み、さらになコンデンサ受け２２の先端部に設けられているツマミ２３を締め付けることで、図３に示す状態にコンデンサ９を固定する。
【００２８】
このような構成において、コンデンサホルダー８の粗微動調整は次のようにして行われる。
【００２９】
先ず、コンデンサホルダー８のコンデンサ受け２２にコンデンサ９をセットし、ツマミ２３の締付けにより固定した後、接眼レンズ３を覗きながら右粗動ハンドル１０または左粗動ハンドル１１を回し、コンデンサホルダー８を支柱１ａに沿って移動させて、コンデンサ９の大まかな焦点を合わせておく。
【００３０】
次に、右粗動ハンドル１０に固定されるハンドルカバー１７に設けられた２ケ所の止めビス１８を緩め、微動調整レバー２０を取付けるためのネジ穴１９が顕微鏡本体１の前面を向くように、ハンドルカバー１７を回して位置調整を行い、その後、止めビス１８を締め付けて、右粗動ハンドル１０に固定する。
【００３１】
そして、ハンドルカバー１７のネジ穴１９に微動調整レバー２０の先端をねじ込み、右粗動ハンドル１０に取り付けた後、ステージ４に載置された標本(図示せず)に対してマニピュレータ５をセットし、顕微鏡部位とアプリケーション装置のセツトアツプまでを完了する。
【００３２】
この状態で、接眼レンズ３を覗きながら、顕微鏡本体１の手前から微動調整レバー２０を水平方向の位置ａから上方に４５度程度傾いた位置ｂまでの範囲内で操作する。すると、微動調整レバー２０の回動角度に応じて右粗動ハンドル１０が僅かに回動するので、ピニオン軸１４とラック１３によりコンデンサホルダー８が支柱１ａに沿って上下動され、コンデンサ９の微細な焦点調整が行われる。
【００３３】
従って、このようにすれば、ピニオン軸１４とラック１３によりコンデンサホルダー８を支柱１ａに沿って移動可能にした構成において、ピニオン軸１４に設けられた右粗動ハンドル１０または左粗動ハンドル１１によってコンデンサホルダー８を支柱１ａに沿って上下動させてコンデンサ９の粗動調整を行い、次いで、右粗動ハンドル１０のハンドルカバー１７に微動調整レバー２０を装着し、この微動調整レバー２０を所定角度の範囲で操作することにより、さらにコンデンサホルダー８を支柱１ａに沿って移動させてコンデンサ９の微動調整を行うようにしているが、この場合、コンデンサ９の微動調整は、右粗動ハンドル１０に固定したハンドルカバー１７に微動調整レバー２０を装着する構成で、現状の右粗動ハンドル１０による動作をそのまま利用しているので、粗微動調節装置としての構成を極めて簡単にでき、価格的にも安価にできる。また、微動調整レバー２０による微動調整は、セツトアツプされた顕微鏡本体１の手前から行うことができるので、セットアップ後の顕微鏡本体１の奥にまで手を入れるような必要がなく、他の顕微鏡部位に操作者の手が干渉するようなことを回避できるなど優れた操作性を得られる。さらに、微動調整レバー２０を用いることで、コンデンサホルダー８の下方に配置されるマニピュレータ５のＸＹ電動部６に操作者の手が干渉することも回避でき、さらに、コンデンサホルダー８周辺の空間も広く確保できるため、多様なコンデンサの設置も可能になる。
【００３４】
なお、ハンドルカバー１７は、止めビス１８により右粗動ハンドル１０だけでなく左粗動ハンドル１１側に付け替えることもできる。こうすれば、ハンドルカバー１７は、右粗動ハンドル１０に限らず、左粗動ハンドル１１に装着することができるので、微動調整レバー２０の装着は右粗動ハンドル１０に限定されることなく、左粗動ハンドル１１にも取付けが可能となり、ユーザーの必要に応じて任意に付け替えることができる。
【００３５】
（第２の実施の形態）
次に、本発明の第２の実施の形態を説明する。
【００３６】
図４は、本発明の第２の実施の形態が適用された粗微動調節装置の粗動ハンドルまわりの拡大図を示すもので、図３と同一部分には、同符号を付している。
【００３７】
この場合、コンデンサホルダー８には、ピニオン軸１４が貫通して設けられ、このピニオン軸１４の両端には、右粗動ハンドル１０と左粗動ハンドル(図示せず)がそれぞれ固定されている。右粗動ハンドル１０には、ハンドルカバー１７が固定されている。
【００３８】
コンデンサホルダー８のピニオン軸１４が貫通される側面には、右粗動ハンドル１０の外周面に沿って作動範囲制限手段としてのストッパ部材３１が設けられている。ストッパ部材３１は、図５に示すように円弧状をなす基板３１１上面に所定間隔をおいて一対の突起３１２、３１３が設けられ、また、これら突起３１２、３１３の間には、２ヶ所の孔部３１４ａ、３１４ｂが設けられ、これら孔部３１４ａ、３１４ｂを介してネジ３２によりコンデンサホルダー８の側面に固定されている。
【００３９】
また、ストッパ部材３１は、ハンドルカバー１７に取り付けられる微動調整レバー２０のハンドルカバー１７への取付け側端部が一対の突起３１２、３１３の間に位置され、これら突起３１２、３１３により微動調整レバー２０の作動範囲を規制するようにしている。この場合、突起３１２、３１３の間は、微動調整レバー２０がコンデンサホルダー８と平行な水平方向の位置ａから上方に４５度程度傾いた位置ｂまでの範囲で操作可能な距離に設定されている。
【００４０】
このような構成とすれば、操作者は、コンデンサホルダー８の微動調整の際の微動調整レバー２０の作動範囲をストッパ部材３１の突起３１２、３１３間に規制できるので、操作がし易くなり、しかも、他の顕微鏡部位と干渉しない範囲内に微動調整レバー２０の作動範囲を設定することもできるので、誤ってユーザーの手が微動調整レバー２０を動かしてしまったような場合も、微動調整レバー２０がストッパ部材３１の突起３１２、３１３に当接することで、例えば、右粗動ハンドル１０の下方に配置されるマニピュレータ５のＸＹ電動部６に干渉するような事態を防ぐことができる。
【００４１】
なお、ハンドルカバー１７は、右粗動ハンドル１０だけでなく左粗動ハンドル１１側に付け替えることができる。この場合、ストッパ部材３１もコンデンサホルダー８のピニオン軸１４が貫通される側面の左粗動ハンドル１１の外周面に沿って設けられるようになる。このように、ストッパ部材３１は、コンデンサホルダー８の右側面に限らず、左側面にも容易に取付けることができ、微動調整レバー２０を左粗動ハンドル１１に取付けた場合にも対応が可能である。また、ストッパ部材３１は、微動調整レバー２０の装着に合わせて着脱するようにしてもよい。
【００４２】
（第３の実施の形態）
次に、本発明の第３の実施の形態を説明する。
【００４３】
この場合、図４および図５に示すようにストッパ部材３１は、一対の突起３１２、３１３の間の基板３１１上面に矢印３３が付されている。
【００４４】
また、図６に示すように右粗動ハンドル１０に取り付けられるハンドルカバー１７は、外周面の円周方向に沿って小径部１７ａが形成され、この小径部１７ａに指標としての目盛板３４が嵌め込まれている。
【００４５】
この目盛板３４は、一部を切り離した環状をなすもので、外周面の円周方向に沿って等間隔に線表示３５が付されている。これら線表示３５は、微動調整レバー２０の回動角度を表示するもので、ここでは、これら線表示３５とともに、さらに、例えば１０度間隔で３６箇所に太線表示３６が付されている。
【００４６】
また、このような目盛板３４のハンドルカバー１７の小径部１７ａへの取付けは、切り離し部を広げてハンドルカバー１７外周上をスライドさせた後、小径部１７ａに嵌め込むようにする。そして、目盛板３４のほぼ中央部に位置する太線表示３６の一つをストッパ部材３１の一対の突起３１２、３１３の間に付された指標３３に合わせるようにする。
【００４７】
このような構成とすれば、微動調整レバー２０を回動操作すると、ハンドルカバー１７が回動し、矢印３３に対する目盛板３４上の線表示３５の位置が変化するので、この時の矢印３３に対応する目盛板３４上の線表示３５から微動調整レバー２０の回動角度を容易に知ることができる。
【００４８】
従って、このようすれば、微動調整レバー２０の操作の際に、操作者は、姿勢を変えることなく、首をやや傾けるか、視線を僅かにずらす程度で目盛板３４から微動調整レバー２０の回動角度を読み取ることができ、これにより精度の高いコンデンサホルダー８の微動調整を行うことができる。
【００４９】
なお、目盛板３４は、右粗動ハンドル１０だけでなく左粗動ハンドル１１側に付け替えることができる。この場合も、右粗動ハンドル１０に取付けた場合と同等の効果を得ることが可能であり、操作者が必要に応じて任意に付け替えることができる。
【００５０】
なお、本発明は、上記実施の形態に限定されるものでなく、実施段階では、その要旨を変更しない範囲で種々変形することが可能である。
【００５１】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００５２】
なお、本発明の実施の形態には、以下の発明も含まれる。
【００５３】
（１）ラックにピニオンを噛ませることによって上下動され、且つ前記ピニオンの両端に粗動ハンドルを設けた光学機器の粗微動調節装置において、
前記粗動ハンドルに取付けられたハンドルカバーの外周上に設けられたネジ穴に着脱自在に微動調整レバーを設けたことを特徴とする粗微動調節装置。
【００５４】
（２）（１）記載の粗微動調節装置において、ハンドルカバー周辺に着脱可能なストッパーを備え、前記微動調整レバーの装着に合わせてストッパーの着脱も可能にしたことを特徴としている。
【００５５】
（３）（１）記載の粗微動調節装置において、ハンドルカバーは、外周面の円周方向に沿って小径部が形成され、該小径部に前記微動調整レバーの変位量を読み取り可能で、且つ前記微動調整レバーの装着に合わせて着脱可能な指標を設けたことを特徴としている。
【００５６】
【発明の効果】
以上述べたように本発明によれば、構成が簡単で価格的に安価にできるとともに、操作性にも優れた粗微動調節装置を提供できる。
【図面の簡単な説明】
【図１】本発明の第１の実施の形態の粗微動調節装置を備えた顕微鏡の概略構成を示す図。
【図２】第１の実施の形態の粗微動調節装置の概略構成を示す図。
【図３】第１の実施の形態に用いられる微動調整レバーを説明するための図。
【図４】本発明の第２および第３の実施の形態の粗微動調節装置の要部の概略構成を示す図。
【図５】第２および第３の実施の形態に用いられるストッパ部材の概略構成を示す図。
【図６】本発明の第３の実施の形態の要部の概略構成を示す図。
【符号の説明】
１…顕微鏡本体
１ａ…支柱
２…接眼鏡筒
３…接眼レンズ
４…ステージ
５…マニピュレータ
６…ＸＹ電動部
７…ランプハウス
８…コンデンサホルダー
８ａ…メスアリ
９…コンデンサ
１０…右粗動ハンドル
１１…左粗動ハンドル
１２…オスアリ
１３…ラック
１４…ピニオン軸
１４ａ…ピニオン
１７…ハンドルカバー
１７ａ…小径部
１８…止めビス
１９…ネジ穴
２０…微動調整レバー
２１…ＦＳ絞り
２２…コンデンサ受け
２３…ツマミ
３１…ストッパ部材
３１１…基板
３１２、３１３…突起
３１４ａ、３１４ｂ…孔部
３２…ネジ
３３…矢印
３４…目盛板
３５…線表示
３６…太線表示
【図１】
0004036637.tif 000002
【図２】
0004036637.tif 000003
【図３】
0004036637.tif 000004
【図４】
0004036637.tif 000005
【図５】
0004036637.tif 000006
【図６】
0004036637.tif 000007